(57)【特許請求の範囲】
【請求項１】
補給球を貯留するタンクと、
前記タンクに接続されて補給球通路へ補給球を送り出すタンクレールと、
前記補給球通路の末端部に接続された補給球排出手段と、
前記タンクレールに設けられ、前記タンクレール内を流下する補給球によって作動部が押圧されて補給球が存在することを検出する補給球切れ検出スイッチと、を備え、
前記補給球切れ検出スイッチが補給球を検出している場合には、前記補給球排出手段の駆動制御を可能とし、前記補給球切れ検出スイッチが補給球を検出していない場合には、前記補給球排出手段の駆動制御を不能とする弾球遊技機において、
前記補給球切れ検出スイッチの下方であって、前記タンクレールと前記補給球通路との間に設置され、球抜きレバーを有し、前記球抜きレバーを旋回することで、補給球を外部へ排出する排出口を形成する球抜き手段と、
レバー片を有し、前記レバー片が前記タンクレール内を流下する補給球に干渉しない退避位置と、前記レバー片が前記タンクレール内に介入して補給球の流下を阻止すると共に前記作動部を押圧する付勢位置と、に手動操作により旋回可能なメンテナンスレバーと、を備え、
前記タンク、前記タンクレール、前記補給球通路及び前記補給球排出手段内の補給球を外部へ排出する場合には、前記メンテナンスレバーを前記退避位置に位置させた状態で前記球抜きレバーを旋回して、前記タンク及び前記タンクレール内の補給球を排出し、次いで、前記メンテナンスレバーを前記付勢位置に旋回することで、前記補給球排出手段を駆動可能にすると共に新たな補給球の流入を阻止し、前記補給球通路及び前記補給球排出手段内に残った補給球を排出可能としたことを特徴とする弾球遊技機。
【請求項２】
前記メンテナンスレバーを前記付勢位置に旋回した状態で、遊技盤上に配置された入賞口に遊技球を入れることによって前記補給球排出手段を駆動させ、前記補給球通路及び前記補給球排出手段内に残った補給球を排出することを特徴とする請求項１に記載の弾球遊技機。
【発明の詳細な説明】
【０００１】
【発明の属する技術分野】
本発明は、いわゆるフィーバー機、羽根物、権利物又はアレンジボール等の弾球遊技機に関する。
【０００２】
【従来の技術】
従来より、弾球遊技機の裏面側に位置する裏機構盤に賞球・球貸し用としてタンク、タンクレール、補給通路等に貯留されている補給球を全てなくす（抜く）作業が行われている。この作業は、例えば、遊技店において弾球遊技機の新台交換時にホールに既に備え付けられている弾球遊技機を取り外す際、また、弾球遊技機を製造する製造ラインにおいて賞球・球貸しの試験用に入れた補給球を検査終了とともに抜く際に行われる。
【０００３】
この球抜き作業は、始めに弾球遊技機の裏機構盤に設置されたタンク内の補給球をタンクレールから球抜き装置によって島設備に排出する。次に、このタンクレールに続く賞球・球貸し装置にいたるまでの補給球通路内に残った補給球を抜くために、賞球・球貸し装置を裏機構盤から取り外し、補給球通路内に残った補給球をそのまま落下させる。そして最後に、賞球・球貸し装置内に残っている補給球を手作業で取り除いていた。
【０００４】
【発明が解決しようとする課題】
このように球抜き作業を行うに際しては、裏機構盤から賞球・球貸し装置を手作業によって取り外して賞球・球貸し装置に残っている補給球を取り除いた後、再び裏機構盤に賞球・球貸し装置を装着しなければならない。また、賞球・球貸し装置を裏機構盤から取り外したり、裏機構盤に装着したりする度に、賞球・球貸し装置の裏機構盤への不完全装着やコネクタ部の破損等の要因となっていた。
【０００５】
そこで、本発明の課題は、弾球遊技機の裏機構盤から賞球・球貸し装置を取り外すことなく、補給球通路及び賞球・球貸し装置内に残った補給球を取り除くことができる弾球遊技機を提供することにある。
【０００６】
【課題を解決するための手段及び作用・効果】
上記課題を解決するために、本発明の弾球遊技機は、
補給球を貯留するタンクと、
前記タンクに接続されて補給球通路へ補給球を送り出すタンクレールと、
前記補給球通路の末端部に接続された補給球排出手段と、
前記タンクレールに設けられ、前記タンクレール内を流下する補給球によって作動部が押圧されて補給球が存在することを検出する補給球切れ検出スイッチと、を備え、
前記補給球切れ検出スイッチが補給球を検出している場合には、前記補給球排出手段の駆動制御を可能とし、前記補給球切れ検出スイッチが補給球を検出していない場合には、前記補給球排出手段の駆動制御を不能とする弾球遊技機において、
前記補給球切れ検出スイッチの下方であって、前記タンクレールと前記補給球通路との間に設置され、球抜きレバーを有し、前記球抜きレバーを旋回することで、補給球を外部へ排出する排出口を形成する球抜き手段と、
レバー片を有し、前記レバー片が前記タンクレール内を流下する補給球に干渉しない退避位置と、前記レバー片が前記タンクレール内に介入して補給球の流下を阻止すると共に前記作動部を押圧する付勢位置と、に手動操作により旋回可能なメンテナンスレバーと、を備え、
前記タンク、前記タンクレール、前記補給球通路及び前記補給球排出手段内の補給球を外部へ排出する場合には、前記メンテナンスレバーを前記退避位置に位置させた状態で前記球抜きレバーを旋回して、前記タンク及び前記タンクレール内の補給球を排出し、次いで、前記メンテナンスレバーを前記付勢位置に旋回することで、前記補給球排出手段を駆動可能にすると共に新たな補給球の流入を阻止し、前記補給球通路及び前記補給球排出手段内に残った補給球を排出可能としたことを特徴とする。
【０００７】
なお、上記弾球遊技機は、
補給球を貯留するタンクと、このタンクに接続されて補給球通路へ補給球を送り出すタンクレールと、前記補給球通路の末端部に接続された補給球排出手段と、通常の遊技モードから補給球を排出する非遊技モードへ移行した段階において前記補給球排出手段を作動させて補給球通路内の補給球を排出制御させる補給球排出制御手段とを少なくとも備える場合がある。
【０００８】
また、上記弾球遊技機は、
補給球を貯留するタンクと、このタンクに接続されて補給球を送り出す複数列の球通路を有するタンクレールと、このタンクレールに接続された複数列の球通路を有する補給球通路と、その入側において補給球通路の複数列の球通路から受け入れた補給球を前記複数列の球通路よりも減じた列数に統合して排出する補給球排出手段と、この補給球排出手段に接続されて排出された補給球を賞球排出通路又は球貸し排出通路へ切替る補給球排出切り替え手段とを少なくとも備える場合がある。
【０００９】
さらに、上記弾球遊技機は、
補給球を貯留するタンクと、このタンクに接続されて補給球を送り出す２列の球通路を有するタンクレールと、このタンクレールに接続された２列の球通路を有する補給球通路と、その入側において補給球通路の２列の球通路から受け入れた補給球を１列にまとめて排出する補給球排出手段と、この補給球排出手段を作動させて補給球通路内の補給球を排出制御させる補給球排出制御手段と、前記タンクレールと補給球通路との間に設置された球抜き手段と、前記補給球排出手段に接続されて排出され、補給球の排出経路を賞球排出通路と球貸し排出通路との間で切替る補給球排出切り替え手段とを少なくとも備える場合がある。
【００１０】
また、弾球遊技機は、補給球を貯留する賞球タンクに接続されて補給球通路へ補給球を送り出すタンクレールと、この補給球通路から補給球を排出する賞球・球貸し装置と、前記タンクレールの末端部に設置されて補給球の有無を検出する補給球切れ検出スイッチと、この補給球切れ検出スイッチに対して手動操作によって強制的に付勢し、前記賞球・球貸し装置に内蔵されたモータを作動させ得る状態として補給球通路に貯留された補給球を排出させるメンテナンスレバーと、前記補給球切れ検出スイッチと賞球・球貸し装置との間に球抜き装置を配設することによって構成することも可能である。
【００１１】
通常、弾球遊技機の可変表示装置の表示画面（例えば液晶表示盤）は、遊技盤の表面側の略中央部にその前面を露出側として配置されている。そして、この表示画面上には、遊技と関係ある遊技情報を表示する識別情報表示領域が形成される。この識別情報表示領域は、第一表示部、第二表示部及び第三表示部の３つの可変表示部を少なくとも含み、それら第一〜第三表示部がある配置方向（例えば横方向）に沿ってこの順序で配置されている。この場合、第一表示部は左図柄が表示される左図柄表示領域、第二表示部は中図柄が表示される中図柄表示領域、第三表示部は右図柄が表示される右図柄表示領域となる。
【００１２】
一方、弾球遊技機の裏面部は非常に限られたスペースであって、この限られたスペース内に特定機能毎に分割された制御基板が一部立体的に配置され、取り付けられている。そして、弾球遊技機の裏機構盤の略中央部には、この識別情報表示領域に表示する特定の遊技状態における識別情報に関する表示態様を司る画像制御基板が画像制御基板用容器に収納されて取り付けられている。この画像制御基板の上方に位置して補給球を貯留するタンクが裏機構盤に取り付けられ、このタンクの一端下部から接続されたタンクレールによって補給球を送り出している。
【００１３】
そして、このタンクレールには補給球切れ検出スイッチが近接して設置され、タンクレール内を流下する補給球によってその作動部が押圧されるときに付勢され、補給球の存在を確認している。また、この補給球切れ検出スイッチに直近してその作動部に対して手動操作により強制的に付勢させるメンテナンスレバーが設けられている。このメンテナンスレバーはそのレバー片をタンクレール内を流下する補給球に干渉しない退避位置と、補給球切れ検出スイッチの作動部をレバー片の先端にて押し付ける付勢位置との間を移動可能としている。
【００１４】
また、この補給球切れ検出スイッチの下部には、機構盤に設けられたピン接点を枢支点として旋回しながら変位する球抜きレバーを備えた球抜き装置が設置されている。この球抜き装置は、補給球がタンクレールの蛇行した形状に沿って流下するようにその前面壁部がタンクレールの一部に合致した湾曲形状に形成されている。そして、補給球をタンクレールから排出しないときには球抜きレバーの前面壁部がタンクレールの内面と一体となる。また、補給球をタンクレールから排出するときにはピン接点を枢支点として球抜きレバーが上方へ旋回することにより、その前面壁部がタンクレールから離れて補給球が流下する出口となる。この出口を経た補給球は島設備へ排出される。
【００１５】
このタンクレールの末端部分には補給球通路が接続され、この補給球通路は賞球・球貸し装置に接続されている。そして、この賞球・球貸し装置の直下には、賞球排出通路と球貸し排出通路とをその上部位置において分岐させた振り分け装置がユニット状に形成され、機構盤に対して設けられた枢支部を支点としてこのユニット状の振り分け装置を左右に開閉可能に設置している。なお、機構盤に形成された嵌め込み凹部にユニット状の振り分け装置から突出して形成された嵌め込み凸部を嵌め込んだり、取り外したりしてユニット状の振り分け装置を機構盤に対して着脱可能な構成とすることも可能である。
【００１６】
この振り分け装置の分岐点には両通路への補給球の振り分けをするために舌状の切り替え片が枢支部を支点として旋回可能に設置されている。そして、この切り替え片は、通常においては起立状態に維持されて賞球・球貸し装置から排出される補給球を賞球排出通路へ導いている。また、賞球・球貸し装置から排出される補給球が球貸しであれば、切り替え片が枢支部を支点として賞球排出通路側へ倒伏して賞球排出通路を塞ぐとともに、切り替え片が球貸し排出通路へ架橋して補給球を球貸し排出通路へ導くことになる。このため、切り替え片の背面部は球貸し排出通路へ架橋したときにその形状に倣った曲面状の通路の一部を構成するように形成され、貸し球が流下しやすいようになっている。
【００１７】
したがって、賞球を払い出す通常の遊技モードから補給球を排出する非遊技モードとなった状態において、賞球タンク及びタンクレール内に残っている補給球を排出する。この非遊技モードは補給球切れ検出スイッチが補給球切れを検出したことを前提として切り替わり、非遊技モードとなった状態において手動操作によって外部から強制的に前記補給球切れ検出スイッチを付勢させて補給球有りの状態とする。すなわち、ピン接点を枢支点として球抜きレバーを上方へ旋回させて、その前面壁部をタンクレールから離して補給球が流下する出口とし、この出口から排出された補給球は島設備へ排出される。
【００１８】
次いで、補給球通路及び賞球・球貸し装置内に残っている補給球を排出するため、メンテナンスレバーを作動させることになる。すなわち、その一対のレバー片が作動軸を支点としてタンクレールの通路内に介入しながら、退避位置から付勢位置まで旋回することにより、補給球切れ検出スイッチの作動部をレバー片の先端にて押し付ける。このため、補給球切れ検出スイッチは補給球がタンクレール内に存在すると判断して、その検出信号を主制御基板を介して賞球制御基板へ送信して賞球・球貸し装置のモータを駆動可能な状態とする。なお、この補給球切れ検出スイッチの作動部をメンテナンスレバーで押し付け操作するほか、例えば球抜きレバー操作時に一定時間に限って賞球・球貸し装置のモータを駆動可能な状態とさせたり、補給球切れ検出スイッチが補給球を検出しなくなったときから一定時間に限って賞球・球貸し装置のモータを駆動可能な状態とさせ、補給球の排出制御を行うこともできる。
【００１９】
そして、遊技盤上に配置されたいずれかの入賞口に遊技球を入れてその入賞口センサを通過させる。この検知信号に基づき賞球個数データが枠制御部へ送信され、枠制御部は賞球排出信号の送信により賞球・球貸し装置を作動させる。次いで、モータの駆動によってカムが回転して賞球・球貸し装置及び補給球通路内に残る補給球を排出させる。賞球・球貸し装置から排出された補給球は振り分け装置内の賞球排出通路を経て上皿部へいたる。なお、この補給球の排出作業時、島設備等からタンクレールに補給球の流入があった場合でも、メンテナンスレバーのレバー片がタンクレール内に介入しており、その後部が補給球の流下を阻止することになる。また、メンテナンスレバーの操作は手動であるので、遠隔操作による不正な球の排出操作も不可能であり、不正遊技者による不正行為も未然に防止できる。
【００２０】
【発明の実施の形態】
以下、本発明の実施の形態を、図面に示す実施例を参照して説明する。
ここでは遊技機として、いわゆるフィーバー機と呼ばれるタイプの第一種パチンコ機（遊技機）を例に取り、その表面構造を図１、図２を参照して説明する。
まず、図１に示すように、パチンコ機１の前面部は、本体枠２と、中枠３と、前面枠４と、上皿部５と、下皿部６と、施錠装置７とから構成されている。本体枠２は、木製の板状体を略長方形の額縁状に組立て固着したものである。中枠３は、全体がプラスチック製で、枠体部（図示略）と下板部（図示略）とを有して本体枠２の内周側に嵌合して取り付けられている。
【００２１】
ここで枠体部は、上端から下方へ中枠３全体の略２／３程度に略長方形の額縁状に形成され、上端部には、前面枠４の枠飾りランプ用レンズ４ｂに対応して、左側に賞球表示ＬＥＤ（図示略）及び賞球表示ＬＥＤ基板（図示略）が、右側にストップ表示ＬＥＤ（図示略）及びストップ表示ＬＥＤ基板（図示略）が配設されている。
【００２２】
また、下板部は、下端から上方へ中枠３全体の略１／３程度を占め、左端には、上皿部５に形成されたスピーカ面５ａに対応すべく、遊技状態に応じた効果音その他の音（以下音声情報等という）を発生させるスピーカー４００（図１２参照）が配設され、略中央には、遊技球を発射する発射装置ユニット（図示略）に対し、上皿部５に貯留された遊技球を供給する供給装置等（図示略）が設けられている。さらに、下方には下皿部６が設けられ、右端中央には施錠装置７が設けられている。
【００２３】
下皿部６は、灰皿や球抜きレバー等を備えて、パチンコ機１の内部から遊技球を排出するための排出口６ａが開設され、右端に発射装置ユニットを操作する発射ハンドル９が設けられている。また、この発射ハンドル９には、遊技者が発射ハンドル９にタッチしていることを検出するタッチセンサ９ａが装着され、その近傍には、発射停止を一時的に指令する発射停止スイッチ９ｂが配置されている。施錠装置７は、正面視すると鍵穴を備えた略長方形状を呈し、前面枠４を閉鎖した場合に施錠するためのものである。
【００２４】
前面枠４は、全体がプラスチック製であり、遊技盤１０を前方から視認するべく、遊技盤１０に形成された遊技領域１１の形状に対応して上側が略円弧状を呈し、全体が略弾丸形状に開設された開口部４ａを有している。そして、その裏面には、開口部４ａに応じてガラス板が嵌められた略長方形状のガラス枠（図示略）が装着されている。また、この前面枠４は、パチンコ機１の前面全体の２／３のサイズを占め、中枠３の左端に軸着され開閉可能に形成されている。さらに、上端部には、枠飾りランプ用レンズ４ｂが設けられ、このレンズ４ｂ内部には、開口部４ａ上端の円弧部分に沿って、枠飾りランプ基板４ｇ（図１２参照）及び複数個の遊技効果ランプ（図示略）が配設されている。
【００２５】
上皿部５は、前面枠４の下側で、中枠３の左端に軸着され開閉可能に形成されている。皿外縁部５ｂには、球抜きボタンや遊技球の貸出・返却ボタン等が配設されている。またパチンコ機１の内部から遊技球を排出するための排出口５ｃが開設されている。左端には、複数の長孔を有するスピーカ面５ａが形成され、その裏面には、音量スイッチ基板１２（図１２参照）が設けられている。パチンコ機１の左端側には、プリペイドカードユニット１３が装着されている。
【００２６】
次に、本実施例の遊技盤１０の表面構造の詳細を図２を参照して説明する。
遊技盤１０は、略長方形の木製の板状体であって、後述する裏機構盤１０２（図３参照）により保持され、その表面に設けられた外レール１４と内レール１５とにより略円形状に形成される遊技領域１１内に、特別図柄表示装置１６と、第一種始動口（普通電動役物）１７と、変動入賞装置１８と、左上入賞口１９、右上入賞口２０、左入賞口２１、右入賞口２２と、多数の障害釘２３と、一対の風車２４、２５等が配設されて、構成されている。
【００２７】
特別図柄表示装置１６は、遊技領域１１の略中央部に配置され、センター役物２６と、液晶表示盤２７とを備えている。この液晶表示盤２７の映像画面は略長方形状を呈しており、その表示画面上に１又は複数の特別図柄を所定の方向に次々と変動させながら表示した後、停止表示する特別図柄表示領域が形成されている。すなわち、左特別図柄を表示する左特別図柄表示領域２８、中特別図柄を表示する中特別図柄表示領域２９、及び右特別図柄を表示する右特別図柄表示領域３０が、横一列に設定された配置方向においてこの順序で並んで形成されている。各特別図柄表示領域２８〜３０は、これらの表示領域２８〜３０の配置方向と略直交する向き、この場合、上下方向に図柄変動方向が設定され、その向きで変動しているように識別情報としての複数の図柄（特別図柄）が順次表示されていく。また、この液晶表示盤２７は、遊技球が第一種始動口（普通電動役物）１７に入球することにより、その映像画面の表示領域２８〜３０に表示される各特別図柄をそれぞれ変動させて停止表示させるものである。そして、例えば、図柄が「７、７、７」の３桁同一図柄で揃って確定表示すると、変動入賞装置１８に配設された後述する大入賞装置３１の大入賞口（図示略）が開放される。また、センター役物２６は、液晶表示盤２７の前面周辺部に額縁状に突設して装着され、普通図柄表示装置３２と、特別図柄保留表示ＬＥＤ１６ａと、ステージ３３とを備えている。
【００２８】
普通図柄表示装置３２は、センター役物２６の上部中央に配置され、７セグメント表示器３２ａと、普通図柄保留表示ＬＥＤ３２ｂとを有している。７セグメント表示器３２ａは、１〜９の奇数数字を変動表示させるもので、後述する左右の普通図柄作動ゲート３６、３７のいずれかを遊技球が通過することにより、変動して所定時間経過後に１種類の奇数数字が確定表示される。そして、例えば「７」で確定表示すると、第一種始動口（普通電動役物）１７の入口幅が所定時間（例えば、０．５秒）拡大される。
【００２９】
前記センター役物２６の外側部の左右両側には、前述した普通図柄作動ゲート３６、３７がそれぞれ設けられ、この左右の普通図柄作動ゲート３６、３７内に左、右普通図柄作動ゲート検知スイッチ３６ｓ、３７ｓ（図１２参照）が配設されている。そして、遊技球の普通図柄作動ゲート通過検知スイッチ３６ｓ、３７ｓのいずれかの通過により、普通図柄表示装置３２における７セグメント表示器３２ａが変動表示する。
【００３０】
普通図柄保留表示ＬＥＤ３２ｂは、４個の丸形の赤色ＬＥＤで構成され、７セグメント表示器３２ａの左右両側に配置されている。これは、左右の普通図柄作動ゲート３６、３７を通過した遊技球の数を４個まで記憶し、通過ごとに順次点灯しシフト表示するものである。次の７セグメント表示器３２ａの変動表示が開始するたびに、未始動回数が消化され、１個の普通図柄保留表示ＬＥＤ３２ｂが消灯される。
【００３１】
特別図柄保留表示ＬＥＤ１６ａは、前記センター役物２６の上部内側部中央に配設され、４個の赤色ＬＥＤで構成されている。これは、第一種始動口（普通電動役物）１７に入球した遊技球の数を４個まで記憶し、入球ごとに順次点灯しシフト表示するものである。次の特別図柄の変動が開始するたびに、未始動回数が消化され、１個の特別図柄保留表示ＬＥＤ１６ａが消灯される。
【００３２】
第一種始動口（普通電動役物）１７は、ステージ３３の中央直下に配設され、いわゆるチューリップ式で左右に一対の翼片部が開閉するべく形成されている。
内部には、遊技球の通過を検知する第一種始動口（普通電動役物）入賞検知スイッチ１７ｓ（図１２参照）が備えられている。この一対の翼片部が左右に開くと、遊技球の入球可能な開放状態となり、一対の翼片部が閉じると、遊技球の入球困難な閉鎖状態となる。
【００３３】
変動入賞装置１８は、上記第一種始動口（普通電動役物）１７の下方に配設され、前面側が略逆台形状に形成された基板４４に、大入賞装置３１と、左入賞口２１と右入賞口２２とを備えている。ここで、大入賞装置３１は、略中央に形成され、帯状に開口された大入賞口（図示略）と、この大入賞口を開放・閉鎖する開閉板３５と、この開閉板３５を開閉するための大入賞口ソレノイド５２（図１２参照）と、連動杆（図示略）と、特定領域開閉シャッター（図示略）と、この特定領域開閉シャッターを作動させるための開閉シャッターソレノイド５３（図１２参照）と、特定領域（図示略）と、特定領域外領域（図示略）とから構成されている。
【００３４】
また、左入賞口２１は、大入賞装置３１の左側方に配設されて内部に左入賞口通過検知スイッチ２１ｓ（図１２参照）が設けられている。さらに、右入賞口２２は、大入賞装置３１の右側方に配設されて内部に右入賞口通過検知スイッチ２２ｓ（図１２参照）が設けられている。アウト口４６は、変動入賞装置１８における大入賞装置３１の中央直下に配設されている。バック球防止部材４５は、アウト口４６の下部に設けられ、遊技領域１１に到達せず戻ってきた遊技球が再び発射位置に戻ることを防止するものである。ファール球防止部材４７は、内レール１５の先端部に取り付けられ、返しゴム４８は、ファール球防止部材４７の位置とは略正反対側の、遊技盤１０の右半分側の位置であって、外レール１４に沿って嵌合状に取り付けられている。
【００３５】
左上入賞口１９及び右上入賞口２０はそれぞれ、変動入賞装置１８の左右斜め上方に配設されている。そして、その内部にはそれぞれ、左上入賞口通過検知スイッチ１９ｓ（図１２参照）、右上入賞口通過検知スイッチ２０ｓ（図１２参照）が設けられている。一対の風車２４、２５はそれぞれ、特別図柄表示装置１６の左右両側に配設されている。なお、多数の障害釘２３は、以上説明した各遊技装置との位置バランスを考慮して、遊技領域１１にパチンコ遊技に適するべく、配設されている。
【００３６】
次に、本実施例のパチンコ機１の裏面構造を図３を参照して説明する。
機構盤１０２は中枠３（図１参照）に該機構盤１０２の上下端の位置に設けられた一対のヒンジ１０３により開閉可能に支持されている。遊技盤１０は中枠３の枠体部に着脱可能に取り付けられている。この機構盤１０２の上部の左側には、タンク球切れ検知スイッチ１０４をタンク底部に備えた賞球タンク１０５と、この賞球タンク１０５に接続されるタンクレール１０６とが取り付けられている。このタンクレール１０６は前記機構盤１０２の右側部分において下方へ方向変換され、賞球タンク１０５に貯留されている補給球を下方へ流下させる。
【００３７】
図４〜図８にその詳細を示すように、下方へ方向変換されたタンクレール１０６の左側には補給球切れ検出スイッチ１０７が設置されている。そして、タンクレール１０６内を流下する補給球Ｔによってその作動部１０７ａが押圧されるとき補給球Ｔの存在を確認している。また、この補給球切れ検出スイッチ１０７の直近上部にはその作動部１０７ａに介在し得るメンテナンスレバー１０８が旋回可能に設けられている。このメンテナンスレバー１０８は作動軸１０８ａに取り付けられた一対の鈎形のレバー片１０８ｂを、タンクレール１０６内を流下する補給球Ｔに干渉しない図５に示す退避位置と、作動軸１０８ａの回動によって補給球切れ検出スイッチ１０７の作動部１０７ａをレバー片１０８ｂの先端にて押し付ける図６に示す付勢位置との間を旋回可能としている。なお、タンクレール１０６は補給球Ｔを送り出す量を高めるために、図５（ｂ）、図６（ｂ）に示すように隔壁１０６ａを設けて２列の通路を並列状態に形成している。
【００３８】
この補給球切れ検出スイッチ１０７の直近下部には、機構盤１０２に設けられたピン１０９ａ接点を枢支点として旋回しながら変位する球抜きレバー１０９ｂを備えた球抜き装置１０９が設置されている。この球抜き装置１０９は、補給球Ｔがタンクレール１０６の蛇行した形状に沿って流下するようにその前面壁部１０９ｃがタンクレール１０６の一部に合致した湾曲形状に形成されている。そして、補給球Ｔをタンクレール１０６から排出しないときには球抜きレバー１０９ｂの前面壁部１０９ｃがタンクレール１０６と一体となる。また、補給球Ｔをタンクレール１０６から排出するときにはピン１０９ａ接点を枢支点として球抜きレバー１０９ｂが上方へ旋回することにより、その前面壁部１０９ｃがタンクレール１０６から離れて補給球Ｔが流下する出口となる。この出口を経た補給球Ｔは島設備（図示略）へ排出される。
【００３９】
このタンクレール１０６の末端部分には補給球通路１１０が接続され、この補給球通路１１０は賞球・球貸し装置１１１に接続されている。この補給球通路１１０内には、図４（ｂ）に示すようにタンクレール１０６の内部に設けられた隔壁１０６ａに合致する隔壁１１０ａが設けられ、２列の通路を並列状態に形成している。そして、この賞球・球貸し装置１１１の直下には、賞球排出通路１１２と球貸し排出通路１１３とをその上部位置において分岐させた振り分け装置１１４がユニット状に形成され、機構盤１０２に対して設けられた枢支部を支点としてこのユニット状の振り分け装置１１４を左右に開閉可能に設置している。すなわち、このユニット状の振り分け装置１１４を機構盤１０２との装着状態から離脱状態に開放させる場合には、振り分け装置１１４に設けられたフック状の係合突起部１１４ａを機構盤１０２に形成された係合凹部（図示略）から外して、図４（ａ）の実線位置から二点鎖線位置まで右方向へほぼ１８０度ピン１１４ｂ接点を枢支点として旋回させる。なお、機構盤１０２に形成された嵌め込み凹部（図示略）にユニット状の振り分け装置１１４から突出して形成された嵌め込み凸部（図示略）を嵌め込んだり、取り外したりしてユニット状の振り分け装置１１４を機構盤１０２に対して着脱可能な構成とすることも可能である。
【００４０】
この振り分け装置１１４の分岐点には両通路１１２、１１３への補給球Ｔの振り分けをするために舌状の切り替え片１１４ｃが枢支部１１４ｄを支点として旋回可能に設置されている。そして、この切り替え片１１４ｃは、図８（ａ）に示すように、通常においては起立状態に維持されて賞球・球貸し装置１１１から排出される補給球Ｔを賞球排出通路１１２へ導いている。また、賞球・球貸し装置１１１から排出される補給球Ｔが球貸しであれば、図８（ｂ）に示すように、ソレノイドの作動によって切り替え片１１４ｃが枢支部１１４ｄを支点として賞球排出通路１１２側へ倒伏して賞球排出通路１１２を塞ぐとともに、切り替え片１１４ｃが球貸し排出通路１１３へ架橋して補給球Ｔを球貸し排出通路１１３へ導くことになる。
【００４１】
このため、切り替え片１１４ｃの背面部１１４ｅは球貸し排出通路１１３へ架橋したときにその形状に倣った曲面状の通路の一部を構成するように形成され、貸し球が流下しやすいようになっている。また、賞球排出通路１１２、球貸し排出通路１１３の出側付近の内部には賞球排出通路通過検知スイッチ１１２ｓ、球貸し排出通路検知スイッチ１１３ｓがそれぞれ設置され、各通路１１２、１１３を通過した賞球個数あるいは球貸し個数が検知される。
【００４２】
図９〜図１１には賞球・球貸し装置１１１の内部構造が例示されている。まず、図９に示すように、賞球・球貸し装置１１１は、ガイドレール２２３上を流下される賞球あるいは貸し球を受け止め、この賞球あるいは貸し球を１個宛払い出すカム２１０と、このカム２１０のカム軸２１１を駆動させるモータ２１２と、このカム軸２１１にカム２１０と並列して取り付けられ、複数のスリットが形成された回転円板２１３と、この回転円板２１３に近接して配置され、カム２１０の回転角を検知する賞球払出センサ２１４と、この賞球払出センサ２１４が取り付けられている賞球・球貸し装置センサ基板２１５と、これらの部品を格納するケース本体２１７とそのケース蓋２１６とから構成されている。
【００４３】
本実施例において前記カム２１０は、カム軸２１１と直交する方向に凸部２１０ａが９０度毎に４個設けられており、図１１（ｃ）に示すように、賞球あるいは貸し球は各凸部２１０ａ間に形成される凹所内に一旦乗せられ、カム軸２１１が９０度回転されるとき、カム２１０の凸部２１０ａ間の凹所内に乗せられた賞球あるいは貸し球Ｔが払い出されることになる。本実施例においては前記タンクレール１０６内を流下される賞球あるいは貸し球Ｔがその流下能力を高めるために２列で送り出されているので、図１０に示すように、ガイドレール２２３に隔壁を設けて賞球を流下させる２列の球通路２１８を並列状態に配置している。したがって、カム軸２１１には、払い出すべき賞球あるいは貸し球Ｔを受け止め、この賞球あるいは貸し球Ｔを１個宛払い出すために２個のカム２１０が、カム軸２１１と直交する方向に取付角度（本実施例では９０度）を変えて、並列状態で取り付けられている。
【００４４】
本実施例においてカム軸２１１には、上述したように、並列して２個のカム２１０が取付角度（本実施例では９０度）を変えて取り付けられているので、カム軸２１１が９０度回転されれば、各球通路２１８においてそれぞれ１個、合計２個の賞球あるいは貸し球Ｔが、またカム軸２１１が１回転されれば、それぞれ４個、合計８個の賞球あるいは貸し球Ｔが払い出されることになる。なお、このカム２１０の取付角度を上述した９０度毎に４個から、図４〜図８に示す１２０度毎に３個とする形態のカム２１０とすることは任意である。この場合、カム軸２１１が１２０度回転されれば、各球通路２１８においてそれぞれ１個、合計２個の賞球あるいは貸し球Ｔが、またカム軸２１１が１回転されれば、それぞれ３個、合計６個の賞球あるいは貸し球Ｔが払い出されることになる。また、賞球・球貸し装置１１１の出側において各球通路２１８は１列に統合され（図４（ｂ）参照）、それぞれ払い出された賞球あるいは貸し球Ｔは１列状となって前記振り分け装置１１４の賞球排出通路１１２あるいは球貸し排出通路１１３へ排出される。
【００４５】
モータ２１２は前述した補給球切れ検出スイッチ１０７の作動部１０７ａが補給球Ｔを検出しているとき、この検出信号が補給球切れ検出スイッチ１０７から後述する主制御基板１１７を介して賞球制御基板１２６へ送信されて駆動可能な状態となる。逆に、補給球切れ検出スイッチ１０７の作動部１０７ａが補給球Ｔを検出していないと、主制御基板１１７から賞球制御基板１２６へ補給球切れエラーコマンドが送信され、賞球制御基板１２６によって賞球・球貸し装置１１１は停止され、モータ２１２は駆動不能な状態となる。
【００４６】
したがって、補給球切れ検出スイッチ１０７の作動部１０７ａが補給球Ｔを検出していれば、モータ２１２は払い出すべき賞球あるいは貸し球Ｔに応じて駆動され、この駆動に基づいてカム軸２１１は回転制御される。このカム軸２１１の回転数は、図１１（ａ）に示すように賞球払出センサ２１４において、その回転円板２１３に所定角度間隔（例えば４５度）毎に形成されたスリット位置を光電的に検知することによって求められる。求められた回転数はモータ２１２にフィードバックされるとともに、上述したように、賞球あるいは貸し球Ｔの払出数としてカウントされる。
【００４７】
上述のパチンコ機１において、その裏面側の賞球タンク１０５、タンクレール１０６、補給球通路１１０及び賞球・球貸し装置１１１から全ての補給球Ｔを抜く場合がある。これは、例えば、遊技店においてパチンコ機１の新台交換時にホールに既に備え付けられているパチンコ機１を取り外す際、また、パチンコ機１を製造する製造ラインにおいて賞球・球貸しの試験用に入れた補給球Ｔを検査終了とともに抜く際に行われる。
【００４８】
この場合、図４（ａ）に示すように補給球Ｔはタンクレール１０６、補給球通路１１０及び賞球・球貸し装置１１１内にほぼ並列状態で残っている。まず、ピン１０９ａ接点を枢支点として球抜きレバー１０９ｂを上方へ旋回させて、その前面壁部１０９ｃをタンクレール１０６から離して補給球Ｔが流下する出口とする（図５参照）。したがって、賞球タンク１０５及びタンクレール１０６内に残っている補給球Ｔはこの出口から排出され、この出口を経た補給球Ｔは島設備へ排出される。このとき、タンクレール１０６内の補給球Ｔは排出された状態であるので、補給球切れ検出スイッチ１０７の作動部１０７ａが補給球Ｔを検出していない。したがって、主制御基板１１７から賞球制御基板１２６へ補給球切れエラーコマンドが送信され、賞球制御基板１２６によって賞球・球貸し装置１１１は停止され、モータ２１２は駆動不能な状態となっている。
【００４９】
このため、補給球通路１１０及び賞球・球貸し装置１１１内に残っている補給球Ｔ（通常２５球とされている：貸し球１回分に相当）を排出するため、メンテナンスレバー１０８を作動させることになる。すなわち、その一対のレバー片１０８ｂが作動軸１０８ａを支点としてタンクレール１０６の２列の通路内に介入しながら、図５に示す退避位置から図６に示す付勢位置まで旋回させレバー位置固定バネ部材（図示略）で位置固定することにより、補給球切れ検出スイッチ１０７の作動部１０７ａをレバー片１０８ｂの先端にて押し付ける。したがって、補給球切れ検出スイッチ１０７は補給球Ｔがタンクレール１０６内に存在すると判断して、その検出信号を主制御基板１１７を介して賞球制御基板１２６へ送信して賞球・球貸し装置１１１のモータ２１２を駆動可能な状態とする。
【００５０】
そして、遊技盤１０上に配置されたいずれかの入賞口、例えば左上入賞口１９に遊技球を入れてその左上入賞口通過検知スイッチ１９ｓを通過させる。この検知信号に基づき１０個の賞球個数データが枠制御部１５０へ送信され、枠制御部１５０は賞球排出信号の送信により賞球・球貸し装置１１１を作動させる。次いで、モータ２１２の駆動によってカム２１０が回転して賞球・球貸し装置１１１及び補給球通路１１０内に残る補給球Ｔを排出させる。賞球・球貸し装置１１１から排出された補給球Ｔは振り分け装置１１４内の賞球排出通路１１２を経て上皿部５へいたる。なお、左上入賞口１９の賞球個数は１０個であるので、上記作業を繰り返して補給球通路１１０及び賞球・球貸し装置１１１内に残る補給球Ｔを排出することになる（図６参照）。この補給球Ｔの排出作業時、図７（ｂ）に示すように島設備等からタンクレール１０６に補給球Ｔの流入があった場合でも、メンテナンスレバー１０８のレバー片１０８ｂがタンクレール１０６内に介入しており、その後部が補給球Ｔの流下を阻止することになる。
【００５１】
全ての補給球Ｔを排出した後、図７（ａ）に示すように、ピン１０９ａ接点を枢支点として球抜きレバー１０９ｂを下方へ旋回させて、その前面壁部１０９ｃをタンクレール１０６と一体とさせ、一方、メンテナンスレバー１０８のレバー片１０８ｂを作動軸１０８ａを支点として退避位置まで旋回させ位置固定させる。
【００５２】
図３に戻り、タンクレール１０６の下側、すなわち機構盤１０２の略中央部には、特別図柄表示装置１６における液晶表示盤２７を格納した蓋付きの裏ケース１１５が取り付けられている。この裏ケース１１５上には特別図柄表示装置１６に表示する識別情報の表示態様を制御する後述する特別図柄制御部１６０（図１２参照）である画像制御基板１１６が画像制御基板用容器１１６ｃに収納されて取り付けられている。そして、この画像制御基板用容器１１６ｃ上にはその一部に重なった状態で遊技盤１０面上の遊技球検出スイッチ、ソレノイド等の信号を中継する端子基板１１８が配置される。
【００５３】
また、前記画像制御基板用容器１１６ｃの左端側には、遊技状態に応じてランプの点灯表示、点滅表示、消灯表示等の表示形態を司る後述するランプ制御部１７０（図１２参照）であるランプ制御基板１１９が縦長状に遊技盤１０に配置され、ランプ制御基板用容器１１９ｃに収納された状態で取り付けられている。一方、タンクレール１０６の上方に位置する右端の隅角部には、電源受電基板１２０及び、大当り、発射装置制御、球切れ、扉開放、賞球、球貸し用等の情報を遊技店の集中管理装置（図示略）に伝えるための遊技機枠用外部接続端子を備えた外部情報端子基板１２１、遊技状態に応じてＬＥＤの点灯表示、点滅表示、消灯表示等の表示形態を司る表示ＬＥＤ中継基板１２２、同じくランプの点灯表示、点滅表示、消灯表示等の表示形態を司る効果ランプ中継基板１２３が機構盤１０２に取り付けられ、これらの基板１２０、１２１、１２２、１２３の各々のコネクター接続端子に対応する部分に窓を開口したカバー１２０ｃ、１２１ｃ、１２２ｃ、１２３ｃにより、これらの基板１２０、１２１、１２２、１２３が被われている。
【００５４】
一方、前記画像制御基板用容器１１６ｃの下方には、分電基板１２４が分電基板用容器１２４ｃに収納されて機構盤１０２の裏面側に取り付けられている。この分電基板１２４の下方には、遊技島の電源から電力を受電してパチンコ機１各部が必要とする電源を生成する電源ユニット１２５が機構盤１０２に取り付けられ、その上から電源カバー１２５ｃで電源ユニット１２５を被っている。電源カバー１２５ｃは上部、下部の部分に切り欠き及びカバー面に多数の通気用小孔を有し、空気の流通を良くして放熱性の良いものとしている。また、このカバーは音声制御基板用容器１２７ｃを以って代用させてもよい。そして、分電基板用容器１２４ｃに隣接した位置からこの電源ユニット１２５の一部に重畳して、賞球制御等の処理を行う賞球制御基板１２６が透明の賞球制御基板用容器１２６ｃに収納されて取り付けられている。
【００５５】
また、音声制御を行う後述する音声制御部１８０（図１２参照）である音声制御基板１２７は音声制御基板用容器１２７ｃに収納されて電源ユニット１２５の一部に重なるように重畳して取り付けられている。さらに、補給球詰まり、下皿部満タン、主電源電圧異常、発射停止、主制御基板通信異常、賞球モータ異常などを７セグメントＬＥＤで表示する枠状態表示器、及びそのリセットスイッチを賞球制御基板１２６に備え、該賞球制御基板１２６を収納した賞球制御基板用容器１２６ｃの一側部に隣接して枠制御基板１２８が枠制御基板用容器１２８ｃに収納された状態で取り付けられている。
【００５６】
遊技球の発射制御を司る発射装置制御基板１２９は、機構盤１０２の下方の左端に位置する隅角部に発射装置制御基板用容器１２９ｃに収納されて中枠３の裏側に取り付けられている。また、主制御基板１１７は画像制御基板１１６の下方よりこの発射装置制御基板１２９の一部に重なるように、透明の主制御基板用容器１１７ｃに収納されて前記機構盤１０２に取り付けられている。
【００５７】
次に、本実施例のパチンコ機１の電子制御装置１３０について、図１２を参照して説明する。まず、電子制御装置１３０は、主制御部１４０と、共通信号伝送経路である共有バス５００により、その主制御部１４０に直列的に接続された枠制御部１５０、特別図柄制御部１６０、ランプ制御部１７０及び音声制御部１８０とを含んで構成されている。主制御部１４０は、主制御基板１１７で形成され、主制御部１４０以外の４つの制御部１５０、１６０、１７０、１８０は、第一〜第四の周辺制御基板３５０〜３８０で形成されている。
【００５８】
主制御部１４０は、ＣＰＵ１４１と、ＲＡＭ１４２と、ＲＯＭ１４３と、入出力ポート１４４とをバス１４５により相互に接続したものである（演算回路構成要素）。そして、ＣＰＵ１４１はＲＯＭ１４３に格納された制御プログラムにより、ＲＡＭ１４２をワークエリアとしてパチンコ機１全体の作動制御（すなわち、遊技の基本進行制御）を司る。また、ＲＯＭ１４３に記憶された当否判定プログラムにより、ＣＰＵ１４１が主体となって当否判断制御を行う。また、入出力ポート１４４には前記した共有バス５００が接続され、後述する通り入出力ポート１４４からその共有バス５００へ、各制御部１５０、１６０、１７０、１８０へ処理内容を指示する、指令信号たるコマンドデータを送信する。なお、主制御部１４０から各制御部１５０、１６０、１７０、１８０へは、一方向形式でデータが伝送される。また、該主制御部１４０には、電源ターミナル基板１２１が接続されている。
【００５９】
中継基板２００には、右普通図柄作動ゲート通過検知スイッチ３７ｓ、左普通図柄作動ゲート通過検知スイッチ３６ｓ、カウント検知スイッチ６２、カウント検知及び特定領域通過検知スイッチ６３等が接続され、中継基板２００の出力端子は、入出力ポート１４４と接続されている。また、第一種始動口（普通電動役物）入賞検知スイッチ１７ｓも、入出力ポート１４４に接続されている。
【００６０】
枠用端子基板２００ａには、タッチスイッチ９ａ、発射停止スイッチ９ｂ、ヴォリュームスイッチ２０２、左上入賞口通過検知スイッチ１９ｓ、右上入賞口通過検知スイッチ２０ｓ、左入賞口通過検知スイッチ２１ｓ、右入賞口通過検知スイッチ２２ｓ、タンク球切れ検知スイッチ１０４及び補給球切れ検知センサ１０７等が接続され、枠用端子基板２００ａの出力端子は、枠制御部１５０の入出力ポート１５４と接続されている。
【００６１】
枠制御部１５０は、主制御部１４０と同様の演算回路構成要素１５１〜１５５を含んで構成され、入出力ポート１５４において共有バス５００に接続されている。また、入出力ポート１５４には、普通図柄表示装置基板３２ｆ、役物作動を司る各種ソレノイド５２、５３、賞球・球貸し装置１１１、発射装置制御基板１２９等が接続されている。
【００６２】
特別図柄制御部１６０は、主制御部１４０と同様の演算回路構成要素１６１〜１６５を含んで構成され、入出力ポート１６４において共有バス５００に接続されている。入出力ポート１６４には、液晶表示盤２７が接続されている。
【００６３】
ランプ制御部１７０は、主制御部１４０と同様の演算回路構成要素１７１〜１７５を含んで構成され、入出力ポート１７４において共有バス５００に接続されている。入出力ポート１７４には、枠飾りランプ基板４ｇ、各種ランプ基板２６１ｆ、２６２ｆ、各種ＬＥＤ基板４ｄ、４ｆ、１９ｆ、２０ｆ、２１ｆ、２２ｆ、２６３ｆ、２６４ｆが接続されている。これら各基板にランプあるいはＬＥＤが１又は複数個接続される。これらのランプ等はゲームの進行に対応して点灯・消灯または点滅する。
【００６４】
音声制御部１８０は、主制御部１４０と同様の演算回路構成要素１８１〜１８５を含んで構成され、入出力ポート１８４において共有バス５００に接続されている。入出力ポート１８４には、サウンドジェネレーター２０３、音量スイッチ基板１２が接続されている。サウンドジェネレーター２０３は、図示しないＬＳＩ等に格納された音声データと音声出力モジュールとに基づいて、これに接続されたスピーカー４００より、ゲームの進行に対応した各種の音声出力を行う。音量スイッチ基板１２は、図示しない音量スイッチの操作に伴い、サウンドジェネレーター２０３に対して出力音量の設定を行うものである。
【００６５】
次に、賞球動作は、以下の順序で実行される。
主制御部１４０は、遊技球がカウント検知スイッチ６２またはカウント検知及び特定領域通過検知スイッチ６３を通過したら１５個の賞球個数データを、第一種始動口（普通電動役物）入賞検知スイッチ１７ｓを通過したら６個の賞球個数データを、それ以外の場合、例えば、左右入賞口２１、２２の通過検知スイッチ２１ｓ、２２ｓの通過を検知した場合などにおいては、１０個の賞球個数データを、枠制御部１５０に対してその検知順に、枠制御部１５０を作動指令対象とする指令信号として、前記した共有バス５００を介して送信する。（すなわち、固有賞球数はここでは、６個、１０個あるいは１５個である。）枠制御部１５０は、主制御部１４０からの賞球個数データを受け取り、賞球払出信号の送信により賞球・球貸し装置１１１を作動させる。
【００６６】
また、主制御部１４０は、上述の各種検知スイッチの出力に基づいて遊技状態を判断し、また、その遊技状態に基づいて当否判定を行うとともに、判定内容に応じて対応する図柄表示態様で画像表示制御を行うためのデータを作成する。例えば、主制御部１４０は、第一種始動口（普通電動役物）入賞検知スイッチ１７ｓ、カウント検知スイッチ６２、カウント検知及び特定領域通過検知スイッチ６３等の検知結果や、特別図柄当否判定乱数の取得値などを使用して、遊技が行われていない客待ちの状態、遊技は行われているが始動入賞がない状態（変動準備状態）、始動入賞があった状態、及び、特別遊技状態なども判断する。また、始動入賞が検知されると乱数値に基づいて当否判定が行われ、その判定結果に基づいて特別図柄の変動、または確定などの表示態様制御のためのデータが作成される。このデータは、特別図柄制御部１６０を作動指令対象とする指令信号として、前記した共有バス５００を介して送信される。
【００６７】
さらに、枠飾りランプ基板４ｇ等の各種ランプやサウンドジェネレーター２０３は、特別図柄制御部１６０の制御による特別図柄の変動・停止表示態様、リーチ発生の有無、リーチ表示態様（全回転、コマ送り、逆進、図柄の拡大・縮小など）、特別遊技態様、及び、遊技モード（確率変動、時短など）等に応じてその態様は制御される。その制御指令の指令信号は、ランプ制御部１７０あるいは音声制御部１８０を作動指令対象とする指令信号として、前記した共有バス５００を介して送信される。
【００６８】
次に、主制御部１４０により実行されるメインジョブを図１３を参照して説明する。これは主制御部１４０のＲＯＭ１４３に格納されたプログラムに基づき、ＣＰＵ１４１により所定のリセット周期（例えば約２ミリ秒毎）に実行されるものである。まず、スタックポインタをＲＡＭ１４２の所定アドレスに設定した後（Ｓ１０）、初期化終了の判定が行われる（Ｓ２０）。初期化が終了していなければ（Ｓ２０：ＮＯ）、初期化ジョブが実行され（Ｓ１７０）、終了していれば（Ｓ２０：ＹＥＳ）、ＬＥＤジョブ（Ｓ３０）からスイッチジョブ（Ｓ７０）までのジョブが実行される。
【００６９】
ＬＥＤジョブ（Ｓ３０）においては、普通図柄及び普通図柄作動保留球数の表示用のデータ（コマンド）や、特別図柄作動保留球数の表示用のデータ（コマンド）などが出力される。等速乱数ジョブ（Ｓ４０）では、ＲＡＭ１４２の特別図柄当否判定乱数メモリや汎用カウンタメモリ（図示略）などが更新される。非等速乱数ジョブ（Ｓ５０）では、外れ普通図柄乱数メモリ（図示略）が更新される。汎用カウンタメモリ（図示略）は、ユーザリセット毎の例えば「０」〜「２５５」の値の作成や、コマンドジョブ、音声作成ジョブ、飾りジョブの実行などに使用される。また、音声作成ジョブ（Ｓ６０）では、音楽や音声に関するデータ（コマンド）の作成が行われ、スイッチジョブ（Ｓ７０）では、各種検知スイッチの読み込みが行われる。すなわち、発射停止検知信号、タッチ検知信号、ボリューム検知信号、カウント検知信号、特定領域通過検知信号、普通図柄作動ゲート検知信号などの各種信号が外部接続端子基板を介して主制御部１４０に取り込まれ、また、第一種始動口（普通電動役物）入賞検知用の始動口センサ１７ｓから第一種始動口入賞検知信号がそれぞれ取り込まれる。
【００７０】
さらに、カウント検知スイッチ６２やカウント検知及び特定領域通過検知スイッチ６３に異常があるか否かが判定され（Ｓ８０）、異常がなければ（Ｓ８０：ＹＥＳ）特別図柄メインジョブ（Ｓ９０）から音声ジョブ（Ｓ１１０）までのジョブが実行される。また、異常（球詰まりや断線など）があれば（Ｓ８０：ＮＯ）、エラージョブ（Ｓ１２０）が実行される。
【００７１】
特別図柄メインジョブ（Ｓ９０）では、主制御部１４０と特別図柄制御部１６０とが協調して動作するために必要なデータのジョブが行われる。また、普通図柄メインジョブ（Ｓ１００）では、普通図柄及び普通図柄作動保留球数の表示用のデータの作成が行われる。音声ジョブ（Ｓ１１０）では遊技状態に応じた音声のデータ（コマンド）が出力され、周辺制御部に送られる。さらに、ステップは明示していないが、ランプ制御ジョブでは、遊技状態に応じた各種ランプやＬＥＤの点灯制御のデータ（コマンド）が出力され、周辺制御部に送られる。なお、これらの音声のコマンドやランプ点灯制御のコマンドは、周辺制御部への送信に対応して、これを補助機構作動通知信号として特別図柄制御部１６０へも送信するように処理を行うことができる。その結果、特別図柄制御部１６０では、これらのコマンドの受信タイミングを参照することにより、音声出力やランプ点灯の制御進捗状況を正確に把握でき、特別図柄の表示制御を音声出力ないしランプ点灯と同期させることも容易となる。この後、賞球信号ジョブ（Ｓ１３０）、情報信号ジョブ（Ｓ１４０）、コマンドジョブ（Ｓ１５０）、及び、残余時間ジョブ（Ｓ１６０）が実行される。
【００７２】
賞球信号ジョブ（Ｓ１３０）では、賞球排出に関するデータの作成や出力が行われ、情報信号ジョブ（Ｓ１４０）では、他の制御部への情報出力に必要なデータの作成が行われる。さらに、コマンドジョブ（Ｓ１５０）では、特別図柄管理のためのコマンドの入出力が行われ、残余時間ジョブ（Ｓ１６０）では、非等速乱数の呼出しや、汎用乱数メモリ（図示略）の更新が行われる。
【００７３】
なお、本発明は、その技術的思想を踏襲し、発明の効果を著しく損なわない限度において、前記の態様の一部を変更して実施でき、その変更態様も当然に本発明の技術範囲に属する。
【図面の簡単な説明】
【図１】本発明の一実施例たるパチンコ機の正面図。
【図２】その遊技盤の正面図。
【図３】図１のパチンコ機の裏面概略図。
【図４】図３の一部切り欠き拡大平面図（ａ）と、この拡大平面図（ａ）のＡ−Ａ線矢視図（ｂ）を示す図。
【図５】図４（ａ）の作動説明図（ａ）と、この作動説明図（ａ）のＢ−Ｂ線矢視図（ｂ）を示す図。
【図６】図４（ａ）の作動説明図（ａ）と、この作動説明図（ａ）のＣ−Ｃ線矢視図（ｂ）を示す図。
【図７】図４（ａ）の作動説明図。
【図８】振り分け装置の作動説明図。
【図９】賞球・玉貸し装置の説明図。
【図１０】賞球・玉貸し装置の構造説明図。
【図１１】図１０の矢視断面図。
【図１２】図１のパチンコ機の電子制御装置の一例を示すブロック図。
【図１３】図１２の電子制御装置におけるメインジョブの流れを示すフローチャート。
【符号の説明】
１  パチンコ機（遊技機）
１０６  タンクレール
１０７  補給球切れ検出スイッチ
１０８  メンテナンスレバー
１０９  球抜き装置
１１０  補給球通路
１１１  賞球・球貸し装置
１１４  振り分け装置
【図１】
0004572359.tif 000002
【図２】
0004572359.tif 000003
【図３】
0004572359.tif 000004
【図４】
0004572359.tif 000005
【図５】
0004572359.tif 000006
【図６】
0004572359.tif 000007
【図７】
0004572359.tif 000008
【図８】
0004572359.tif 000009
【図９】
0004572359.tif 000010
【図１０】
0004572359.tif 000011
【図１１】
0004572359.tif 000012
【図１２】
0004572359.tif 000013
【図１３】
0004572359.tif 000014